(57)【要約】【課題】  マイナスイオンを放射して人体に浴びせ易くすることが可能な携帯型マイナスイオン発生器を提供する。【解決手段】  携帯型マイナスイオン発生器１は、マイナスイオン１０１を放射する放射孔２ａが形成された筐体２と、筐体２に内蔵された電池と、筐体２に内蔵されマイナスイオン発生回路を構成する回路実装基板及び放電電極７と、筐体２の外側に突出したプラス電極６から構成され、前記プラス電極６の突出部６ａが、携帯する使用者の身体やその衣服に接触し易い配置構成となっている。【選択図】  図８
2013084348.tif 000002
【特許請求の範囲】
【請求項１】
マイナスイオンを放射する放射孔が形成された筐体と、当該筐体に内蔵された電池と、当該筐体に内蔵されマイナスイオン発生回路を構成する回路実装基板及び放電電極と、当該筐体の外側に突出したプラス電極から構成され、前記プラス電極が、携帯する使用者の身体やその衣服に接触し易い配置となっていることを特徴とする携帯型マイナスイオン発生器。
【請求項２】
前記マイナスイオン発生回路がコロナ放電方式であるとともに、電池からの供給電圧を一定とする定電圧回路が組み込まれており、少なくとも電源スイッチを入れたときに前記プラス電極と電池のプラス側とが電気接続されることを特徴とする請求項１記載の携帯型マイナスイオン発生器。
【請求項３】
前記プラス電極が、金網を前記筐体内から外側に向けて突出させて形成されており、前記プラス電極の電位が、＋０．５〜＋３．５Ｖに設定されていることを特徴とする請求項１または２記載の携帯型マイナスイオン発生器。
【請求項４】
前記放電電極が前記回路実装基板上に固定されて前記放射孔に向けて配置されているとともに、前記電源スイッチの操作レバーが前記筐体の外側に配されており、前記放射孔が前記プラス電極と前記電源スイッチの操作レバーとの間の位置に形成されていることを特徴とする請求項２または３記載の携帯型マイナスイオン発生器。
【請求項５】
前記放射孔が前記筐体の上面側に形成されているとともに、前記電源スイッチの操作レバー並びに前記プラス電極が前記筐体の上方側に配されており、前記プラス電極と前記放射孔との間の位置には、首や手首に吊り下げて使用するストラップが取り付けられていることを特徴とする請求項２から４のいずれか一項記載の携帯型マイナスイオン発生器。
【発明の詳細な説明】
【技術分野】
【０００１】
本発明は、ストラップなどで首に吊り下げて使用したり胸のポケットに入れて使用したりする携帯型マイナスイオン発生器に関する。
【背景技術】
【０００２】
近年、エアコンや空気清浄機のみならず、扇風機やヘアードライヤーなどには、マイナスイオン発生機が付属するものが多くなっている。
【０００３】
マイナスイオン発生器とは、空気中にマイナスイオン（負イオン）を放出することで、空気中の水分子や花粉などの微粒子をマイナス帯電させるものである。パソコンなど電気製品に囲まれた生活を送る現在では、人体表面は、プラス帯電し易くなっており、また、花粉もプラス帯電している。プラス帯電したもの同士は反発するため、花粉は人体表面から浮遊しやすい状態になっている。そして、浮遊した花粉は、鼻孔から吸収されやすくなり、やがて花粉症を引き起こす、これがイオンの観点から見た花粉症発生のメカニズムである。このとき、マイナスイオン発生器を起動させると、空気中にマイナスイオンが放射されて、マイナス帯電した花粉が人体表面に吸着される。また、重くなって落下するので、花粉が鼻孔から吸収されにくくなる効果を得ることができる。
【０００４】
特許文献１には、空気清浄機に内蔵されて、付加的に使用されるマイナスイオン発生装置に関し、放電電極（マイナス端子）と誘導電極（プラス端子）との間に高電圧を印加することにより、コロナ放電させてマイナスイオンを発生させることが記載されている。  また、特許文献２に示すように、マイナスイオン発生装置を単独使用する構成も提案されている。
【先行技術文献】
【特許文献】
【０００５】
【特許文献１】特開平１０−２６１４７７号
【特許文献２】特開２００５−３８７３１号
【発明の概要】
【発明が解決しようとする課題】
【０００６】
しかしながら、従来のマイナスイオン発生装置は、電動ファンなどの送風手段を用いることで、放射されたマイナスイオンによりマイナス帯電された微粒子を人体に向けて送り出すように構成されており、大型で消費電力も大きくなるという問題点がある。そこで、電動ファンなどの送風手段を省くとともに、電池駆動させることで、小型化されて持ち出し可能な携帯型マイナスイオン発生器が実用化され普及しはじめている。ここで、人体がプラス帯電している場合には、携帯型マイナスイオン発生器から放射されたマイナスイオン又はマイナス帯電された微粒子は、人体に吸着されることとなるが、人体は必ずしもプラス帯電しているとは限らないことから、人体に向けてマイナスイオン（マイナス帯電された微粒子を含む）を放射して人体に浴びせ易くするための、何らかの仕組みが望まれる。
【０００７】
そこで、本発明の目的は、マイナスイオンを放射して人体に浴びせ易くすることが可能な携帯型マイナスイオン発生器を提供することにある。
【課題を解決するための手段】
【０００８】
本発明の携帯型マイナスイオン発生器は、マイナスイオンを放射する放射孔が形成された筐体と、当該筐体に内蔵された電池と、当該筐体に内蔵されマイナスイオン発生回路を構成する回路実装基板及び放電電極と、当該筐体の外側に突出したプラス電極から構成され、前記プラス電極が、携帯する使用者の身体やその衣服に接触し易い配置となっていることを特徴とする。
【０００９】
本発明によれば、前記プラス電極が前記筐体の外側に突出し、携帯する使用者の身体やその衣服に接触し易い配置となっていることから、人体がプラス帯電し易くなり、人体に向けてマイナスイオンをより確実に送り出して人体に浴びせ易くすることができる。
【００１０】
上述したように、従来のマイナスイオン発生装置は、放電電極（マイナス端子）と誘導電極（プラス端子）とを近接配置させて、コロナ放電させていることからマイナスイオンのみならず、オゾンが発生していた。オゾンは、３つの酸素原子からなる酸素の同素体であり、腐食性が高く、生臭く特徴的な刺激臭を持つ有毒物質である。オゾンの発生を極力抑えるためには、放電電極（マイナス端子）と誘導電極（プラス端子）との間隔は、適度に離して配置することが好ましい。本発明では、放電電極が筐体内に配されており、プラス電極が筐体の外側に突出した配置構成であることから、マイナスイオンを放射しつつ、オゾンの発生を極力抑えることとなる。
【００１１】
前記放電電極は、マイナスイオンを放射し易い構造となっており、より具体的には、カーボンブラシ、金属ワイヤブラシ、針状電極等が挙げられる。
【００１２】
前記プラス電極は、例えば金網を凸形状に成形したり、金属板をプレス加工するなどして形成され、携帯する使用者の身体やその衣服に接触し易い構造となっている。
【００１３】
前記プラス電極の電位は、人体への影響を極力少なくするため、数Ｖ以下の低電位に設定されている。
【００１４】
本発明の携帯型マイナスイオン発生器は、電源をオン・オフする電源スイッチを備える。電源スイッチの本体は前記筐体に内蔵されていることが好ましいが、電源スイッチをケーブル等で前記筐体の外部に引き出す構成とすることも可能である。
【００１５】
本発明は、前記マイナスイオン発生回路がコロナ放電方式であるとともに、電池からの供給電圧を一定とする定電圧回路が組み込まれており、少なくとも電源スイッチを入れたときに前記プラス電極と電池のプラス側とが電気接続されることを特徴とする。
【００１６】
本発明によれば、前記マイナスイオン発生回路がコロナ放電方式であるとともに、電池からの供給電圧を一定とする定電圧回路が組み込まれていることで、安定して大量のマイナスイオンを放射することが容易となり、そして、少なくとも電源スイッチを入れたときに前記プラス電極と電池のプラス側とが電気接続されることで、人体への影響を極力抑えた低電位でプラス帯電する構成となる。
【００１７】
前記プラス電極と電池のプラス側とは、常時電気接続される構成としても良いし、前記電源スイッチを入れたときにのみ前記プラス電極と電池のプラス側とが電気接続される構成としても良い。前記プラス電極と電池のプラス側は、例えば数十ｋｏｈｍから数百Ｍｏｈｍの抵抗を介して電気接続される。この分圧回路によって、電池の消費電力を極力抑えるとともに、人体への電流値を無視しうる程度に極力抑えつつ低電位でプラス帯電する構成となる。
【００１８】
本発明は、前記プラス電極が、金網を前記筐体内から外側に向けて突出させて形成されており、前記プラス電極の電位が、＋０．５〜＋３．５Ｖに設定されていることを特徴とする。
【００１９】
本発明によれば、前記プラス電極が、金網を前記筐体内から外側に向けて突出させて形成されていることで、携帯する使用者の身体やその衣服により接触し易くなり、また、金網の接触抵抗は金属板の接触抵抗よりも比較的高い抵抗値であるから人体へ電流が流れ難い構成となる。そして、前記プラス電極の電位が、＋０．５〜＋３．５Ｖの範囲に設定されていることで、人体への影響が無視し得る程度に抑えられ、マイナスイオン発生器の消費電力も極力抑えられる。
【００２０】
本発明は、前記放電電極が前記回路実装基板上に固定されて前記放射孔に向けて配置されているとともに、前記電源スイッチの操作レバーが前記筐体の外側に配されており、前記放射孔が前記プラス電極と前記電源スイッチの操作レバーとの間の位置に形成されていることを特徴とする。
【００２１】
本発明によれば、前記放電電極が前記回路実装基板上に固定されて前記放射孔に向けて配置されているとともに、前記電源スイッチの操作レバーが前記筐体の外側に配されており、前記放射孔が前記プラス電極と前記電源スイッチの操作レバーとの間の位置に形成されていることで、使用者が本発明の携帯型マイナスイオン発生器を手に持って、前記電源スイッチを入れる際に、前記プラス電極が使用者の手指に接触し、前記放射孔からマイナスイオンが使用者の顔や胸などに向かって放射されることとなる。なお、ここでは、指のみならず掌を含んで手指と表現している。
【００２２】
本発明は、前記放射孔が前記筐体の上面側に形成されているとともに、前記電源スイッチの操作レバー並びに前記プラス電極が前記筐体の上方側に配されており、前記プラス電極と前記放射孔との間の位置には、首や手首に吊り下げて使用するストラップが取り付けられていることを特徴とする。
【００２３】
本発明によれば、前記放射孔が前記筐体の上面側に形成されているとともに、前記電源スイッチの操作レバー並びに前記プラス電極が前記筐体の上方側に配されており、前記プラス電極と前記放射孔との間の位置には、首や手首に吊り下げて使用するストラップが取り付けられている構成によって、前記放射孔からマイナスイオンが放射され、携帯する使用者の顔や胸など上半身に向かって効果的にマイナスイオンを浴びせることとなる。
【発明の効果】
【００２４】
本発明によれば、前記プラス電極が前記筐体の外側に突出していることで、携帯する使用者の身体やその衣服に接触し易い配置となっていることから、人体に向けてマイナスイオンをより確実に浴びせることができる。そして、前記放電電極が筐体内に配されており、プラス電極が筐体の外側に突出した配置構成であることから、効果的にマイナスイオンを放射しつつ、オゾンの発生を極力抑えることとなる。
【００２５】
本発明によれば、前記プラス電極が、金網を前記筐体内から外側に向けて突出させて形成されていることで、携帯する使用者の身体やその衣服に接触し易いが、人体へ電流が流れ難い構成となる。そして、前記プラス電極の電位が、＋０．５〜＋３．５Ｖに設定されていることで、人体への影響が無視し得る程度に抑えられ、マイナスイオン発生器の消費電力も極力抑えられる。そして、本発明によれば、前記放射孔からマイナスイオンが使用者の顔や胸など上半身に向かって継続的に安定して大量に放出される。
【図面の簡単な説明】
【００２６】
【図１】本発明の実施形態の携帯型マイナスイオン発生器を正面側から示す斜視図である。
【図２】上記実施形態の携帯型マイナスイオン発生器を背面側から示す斜視図である。
【図３】上記実施形態の携帯型マイナスイオン発生器の内部を示す要部構造図である。
【図４】上記実施形態の携帯型マイナスイオン発生器のプラス電極を示す図であり、（ａ）は正面図であり、（ｂ）は平面図である。
【図５】上記実施形態の携帯型マイナスイオン発生器の回路構成図である。
【図６】上記実施形態の携帯型マイナスイオン発生器の詳細な回路図である。
【図７】上記実施形態の携帯型マイナスイオン発生器の回路構成図の他の例である。
【図８】上記実施形態の携帯型マイナスイオン発生器の電源スイッチを入れた状態を説明する図である。
【図９】上記実施形態の携帯型マイナスイオン発生器を首に吊り下げて起動させた状態を説明する図である。
【発明を実施するための形態】
【００２７】
以下、本発明を実施するための具体的な実施形態を図面を引用しながら説明する。
【００２８】
本実施の形態の携帯型マイナスイオン発生器１は、図１と図２に示すように、丸みを帯びた直方体形状の筐体２にストラップ２８が取り付けられたものであり、筐体２は掌に収まる程度の大きさとなっている。前記筐体２は、プラスチック製の正面側ケース２１と背面側ケース２２とを嵌め合わせて構成される。前記正面側ケース２１の上方側の内側には上下方向にスライドさせて電源をオン・オフさせる電源スイッチ２９が配されており、電源スイッチ２９の操作レバー２９１が前記正面側ケース２１の上方側の外側に配されている（図１）。そして、前記正面側ケース２１の下方側にはマイナスイオン発生回路が作動中に点灯するランプ（ＬＥＤ）の光が外から見えるように半透明の窓２７が一体的に取り付けられている（図１）。なお、正面側ケース２１全体を透明（又は半透明）のプラスチックケースとしても良い。
【００２９】
前記筐体２の背面側ケース２２の中ほどには電池を出し入れするためのスライド式の電池蓋２７が配置されている（図２）。前記背面側ケース２２の上方側にはプラス電極６の突出部６ａが配置されており、このプラス電極６の上方側には、ストラップ２８を通すためのガイド孔２６が背面側ケース２２と一体的に形成され、ストラップ２８が通されている（図２）。ストラップ２８は、紐状でも良いし、細幅織物でも良い。
【００３０】
前記筐体２の上面には、マイナスイオンを放射する放射孔２ａが形成されている。図１と図２に示す例では、正面側ケース２１に形成された半円状の切り欠きと、背面側ケース２２に形成された半円状の切り欠きとが合わさって放射孔２ａが形成されているが、この例に限られず、正面側ケース２１に放射孔２ａが形成されていても良いし、背面側ケース２２に放射孔２ａが形成されていても良い。
【００３１】
前記筐体２の上面の放射孔２ａの下方には、マイナスイオンを放射する放電電極７が配置されている（図１、図２）。本実施形態では、オゾンの発生を極力抑えるために、放電電極７とプラス電極６の突出部６ａとの間隔は、適度に離して配置されており、両者の間にはストラップ２８を通すためのガイド孔２６が配されている（図２）。
【００３２】
図３は、上記実施形態の携帯型マイナスイオン発生器１の内部を示す要部構造図であり、正面側ケース２１と背面側ケース２２とを離して広げた展開図となっている。図３に示す例では、正面側ケース２１にはスライド式の電源スイッチ２９が配置されており、それ以外の主要回路は背面側ケース２２に配置されている。図３に示す例では、背面側ケース２２の左側には電池ボックス２５が配置されており、背面側ケース２２の右側には前記マイナスイオン発生回路を構成する回路基板４１が配置されており、背面側ケース２２の上方側には、プラス電極６が配置されている。前記放電電極７は、回路基板４１上に実装固定されて、放射孔２ａに向けて配されている（図３）。これは、放電電極７の先端７ａから発せられるマイナスイオンを放射孔２ａからスムーズに空気中に放射するとともに、放電電極７とプラス電極６との間隔を適度に離した状態を保つためである。
【００３３】
前記電池ボックス２５内には電池３が内蔵されており、電池３のマイナス電極３２がプラス電極６から離れた配置構成となっている（図３）。符号３１は電池３のプラス電極である。電池３は、例えば、単三電池や単四電池が使用されるがボタン電池としても良いし、充電式電池としても良い。
【００３４】
図４は、上記実施形態の携帯型マイナスイオン発生器１のプラス電極６を示す図であり、図４（ａ）は正面図であり、図４（ｂ）は平面図である。前記プラス電極６は、ステンレス製や鋼製の金網の一部を凸形状に成形し、得られた凸部６ａを筐体２の背面側ケース２２の上方側に形成された取付け窓２ｂに取り付けて、金網製の凸部６ａを筐体２内から外側に向けて突出させて形成されている（図２、図３）。本実施形態によれば、前記プラス電極６の金網製の凸部６ａが筐体２から外側に向けて突出させている構成によって、携帯する使用者の身体やその衣服に接触し易く、また、金網の接触抵抗は金属板の接触抵抗よりも比較的高い抵抗値であるから人体へ電流が流れ難い構成となっている。
【００３５】
図５は、上記実施形態の携帯型マイナスイオン発生器１の回路構成図である。図６は、上記実施形態の携帯型マイナスイオン発生器１の詳細な回路図である。本実施形態のマイナスイオン発生回路４は、電池３、電源スイッチ２９、定電圧回路９、ランプ回路５、高圧発生回路８、放電電極７、プラス電極６及び高抵抗６０１とから構成される（図５、図６）。
【００３６】
図５と図６に示す例では、電池３のプラス側が高抵抗６０１を介して金網製のプラス電極６に接続されている。高抵抗６０１の抵抗値は、人体への電流値を無視しうる程度に極力抑えつつ低電位でプラス帯電する構成となる。前記高抵抗の値としては、数十ｋｏｈｍから数百Ｍｏｈｍの範囲で設定され、例えば１０Ｍｏｈｍや１００Ｍｏｈｍの高抵抗が直列に電気接続される。
【００３７】
前記電池３の電源電圧はＤＣ１Ｖ〜ＤＣ３Ｖに設定されており、前記プラス電極６の電位が、＋０．５〜＋３．５Ｖの範囲に設定されている。これによって、人体への影響が無視し得る程度に抑えられ、マイナスイオン発生器１の消費電力も極力抑えられる構成となっている。
【００３８】
図５と図６に示す例では、電池３のプラス側がランプ回路５に接続されている。ランプ回路５は、ＬＥＤ５１と抵抗とコンデンサ等から構成され、電池３の電圧が基準値以上の場合は、ＬＥＤ５１が点灯し、電池３の電圧が基準値を下回るとＬＥＤ５１が点滅し、電池３の電圧が下限値を下回るとＬＥＤ５１が消灯する仕組みとなっている。
【００３９】
図５と図６に示す例では、電池３のプラス側が高圧発生回路８の入力側に接続され、高圧発生回路８の出力側が放電電極７に接続されている。そして、電池３のマイナス側が電源スイッチ２９を介して定電圧回路９に接続され、定電圧回路９のＧＮＤ側が高圧発生回路８の入力側トランジスタのエミッタ側に接続されている（図６）。定電圧回路９は、三端子レギュレータを用いている。高圧発生回路８は、コロナ放電方式であり、ここでは、昇圧トランスとコッククロフトウォルトン回路とを組み合わせて、マイナス数千Ｖからマイナス数万Ｖのマイナス高電圧を発生させる。本実施形態によれば、前記マイナスイオン発生回路４がコロナ放電方式であるとともに、電池３からの供給電圧を一定とする定電圧回路９が組み込まれていることで、安定して大量のマイナスイオンを放射することが容易となり、そして、電池３のプラス側が高抵抗６０１を介してプラス電極６と電気接続されている分圧回路とすることで、人体への電流値を無視しうる程度に極力抑えつつ低電位でプラス帯電する構成となる。前記高抵抗の値としては、例えば数十ｋｏｈｍから数百Ｍｏｈｍの範囲で設定される。
【００４０】
図７は、上記実施形態の携帯型マイナスイオン発生器１の回路構成図の他の例である。ここで、同一の符号は同じ機能を表しており、その説明を省略する。図７に示す例では、電池３のプラス側が電源スイッチ２９を介して、定電圧回路９の入力側、ランプ回路５、高圧発生回路８の入力側、及びプラス電極６に接続された高抵抗６０１に接続されている。図７の回路構成によれば、電源スイッチ２９を入れるまでは、プラス電極６は電池３と電気接続されないので、図５の回路構成と比較して、電池３の寿命がより長持ちする。その一方で、図５の回路構成によれば、電源３のマイナス側が定電圧回路９の入力側に電気接続されているので、図７の回路構成と比較して、マイナス高電圧の絶対値がより大きな値となる。いずれの回路構成でも支障なく、使用することができる。
【００４１】
図８は、本実施形態の携帯型マイナスイオン発生器１の電源スイッチ２９を入れた状態を説明する図である。上述のように、本実施の形態の携帯型マイナスイオン発生器１は、手で持ちやすいサイズの略直方体形状であり、プラス電極６が筐体２の上方に配置され、また、金属網で構成されていることで、図８に示すように、手指がプラス電極６に接触するのに適した構成となっている。また、プラス帯電したプラス電極６と身体との接触においては、身体の安全面を考慮すると、身体のうち、特に、心臓から遠い指先と接触することが最も安全とされている。
【００４２】
図５に示す例では、本実施の形態の携帯型マイナスイオン発生器１を左手２０１に持ち、左手２０１の親指で電源スイッチ２９の操作レバー２９１を上方向にスライドさせて電源を入れると、自然に、左手２０１の人差指がプラス電極６の突出部６ａに接触し、筐体２に内蔵された放電電極７の先端部７ａから放射孔２ａを介して、マイナスイオン１０１が使用者２００の顔や胸など上半身に向かって大量に放出される。携帯型マイナスイオン発生器１を持つ際には、左手で持っても良いし、右手で持っても良い。図８では、電源スイッチ２９が入っており、手指のいずれかの部位がプラス電極６と接触している状態で筐体２の上面に形成された放射孔２ａを使用者２００に向けると、マイナスイオン１０１が使用者２００に向かって大量に放出されることを示している。
【００４３】
図９は、本実施形態の携帯型マイナスイオン発生器１をストラップ２８によって首に吊り下げて起動させた状態を説明する図である。本実施形態では、携帯型マイナスイオン発生器１がストラップ８を用いて首にかけたときに、図２に示すように、ストラップ２８の取付け部の下方近傍にプラス電極６の突出部６ａが配置されていることで、身体や衣服に接触しやすい配置構成となっている。また、筐体２の上方面には、マイナスイオン１０１を放射する放射孔２ａが配置されている。
【００４４】
したがって、本実施形態の携帯型マイナスイオン発生器１をストラップ２８によって首に吊り下げると、マイナスイオン１０１を放射する放射孔２ａが使用者２００の顔や胸など上半身に向けられて位置し、電源スイッチ２９を入れる際に使用者２００の手指のいずれかの部位がプラス電極６と接触して使用者２００が低電位でプラス帯電することから、マイナスイオン発生器１から放射されたマイナスイオン１０１が、使用者２００の顔や胸など上半身に向かって大量に放出され、放射されたマイナスイオン１０１が使用者２００の顔や胸など上半身に向けられて浴びせられ、人体に付着し易くなる（図９）。なお、図９に示す使用態様では、携帯型マイナスイオン発生器１をストラップ２８によって首に吊り下げる例で説明したが、ストラップ２８によって手首から吊り下げて使用しても良い。また、携帯型マイナスイオン発生器１は、胸のポケットに入れて使用しても良く、この場合は、衣服の一部とプラス電極６の突出部６ａとが接触する状態におかれるので、上記と同様に、使用者２００が低電位でプラス帯電することとなり、マイナスイオン発生器１から放射されたマイナスイオン１０１が、使用者２００の顔や胸など上半身に向かって大量に放出され、放射されたマイナスイオン１０１が使用者２００の顔や胸など上半身に向けられて浴びせられ、人体に付着し易くなる。
【００４５】
以上、上記実施の形態では、筐体２をストラップ２８を使用して首や手首から吊り下げる構成例や胸のポケットに入れて使用する構成例で説明したが、これに限定されるものではなく、例えば腕輪形状として手首に配された携帯型マイナスイオン発生器からマイナスイオンを使用者に向けて放射する構成とすることも可能である。また、上記実施の形態では、プラス電極６の突出部６ａが筐体２の外周面に１つ配されている構成例で説明したが、プラス電極６の突出部６ａを複数配置することで、携帯する使用者の身体やその衣服に接触する確率を高めた構成とすることもできる。上記実施の形態では、マイナスイオン発生回路４がコロナ放電方式であるとして説明したが、これに限られず、例えば電子放射方式とすることも可能である。このように、本発明は、その趣旨を逸脱しない範囲で適宜変更が可能であることはいうまでもない。
【符号の説明】
【００４６】
１        携帯型マイナスイオン発生器、
２        筐体、  ２ａ        放射孔、
３        電池、
４        マイナスイオン発生回路、
６        プラス電極、  ６ａ  突出部、
７        放電電極、
２８      ストラップ、
２９      電源スイッチ、  ２９１  操作レバー
【図１】
2013084348.tif 000003
【図２】
2013084348.tif 000004
【図３】
2013084348.tif 000005
【図４】
2013084348.tif 000006
【図５】
2013084348.tif 000007
【図６】
2013084348.tif 000008
【図７】
2013084348.tif 000009
【図８】
2013084348.tif 000010
【図９】
2013084348.tif 000011
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
筐体と、マイナスイオンを放射するため当該筐体の上面側に形成された放射孔と、当該筐体に内蔵された電池と、当該筐体に内蔵されマイナスイオン発生回路を構成する回路実装基板及び放電電極と、当該筐体の内側から外側に突出した低電位のプラス電極から構成され、前記放電電極が前記筐体の内側から前記放射孔に向けて配されているとともに、前記プラス電極が前記筐体の側面側に配されており、かつ、前記プラス電極が、携帯する使用者の身体やその衣服に接触し易い配置となっていることを特徴とする携帯型マイナスイオン発生器。
【請求項２】
前記プラス電極が配されている前記筐体の側面側と反対側の側面側には、電源スイッチの操作レバーが配されており、この電源スイッチの操作レバーと前記プラス電極との間の位置に前記放射孔が形成されていることを特徴とする請求項１記載の携帯型マイナスイオン発生器。
【請求項３】
前記放射孔が前記筐体の上面側に形成されているとともに、電源スイッチの操作レバー並びに前記プラス電極が前記筐体の上方側に配されており、前記プラス電極と前記放射孔との間の位置には、首や手首に吊り下げて使用するストラップが取り付けられていることを特徴とする請求項１または２記載の携帯型マイナスイオン発生器。
【請求項４】
前記プラス電極が、金網製の凸部が前記筐体内から外側に向けて突出して形成されており、かつ、前記プラス電極と前記電池のプラス側とが高抵抗を介して接続されている構成とされ、前記プラス電極の電位が、＋０．５〜＋３．５Ｖに設定されていることを特徴とする請求項１から３のいずれか一項記載の携帯型マイナスイオン発生器。
【請求項５】
前記マイナスイオン発生回路がコロナ放電方式であって、前記電池からの供給電圧を一定とする定電圧回路が組み込まれた構成とされ、前記電源スイッチを入れると前記プラス電極と前記電池のプラス側とが電気接続され、かつ、前記電池の電圧が基準値以上の場合は、前記筐体に内蔵されたＬＥＤが点灯し、前記電池の電圧が基準値を下回ると前記ＬＥＤが点滅し、前記電池の電圧が下限値を下回ると前記ＬＥＤが消灯する仕組みとなっていることを特徴とする請求項１から４のいずれか一項記載の携帯型マイナスイオン発生器。
【手続補正２】
【補正対象書類名】明細書
【補正対象項目名】０００８
【補正方法】変更
【補正の内容】
【０００８】
本発明の携帯型マイナスイオン発生器は、筐体と、マイナスイオンを放射するため当該筐体の上面側に形成された放射孔と、当該筐体に内蔵された電池と、当該筐体に内蔵されマイナスイオン発生回路を構成する回路実装基板及び放電電極と、当該筐体の内側から外側に突出した低電位のプラス電極から構成され、前記放電電極が前記筐体の内側から前記放射孔に向けて配されているとともに、前記プラス電極が前記筐体の側面側に配されており、かつ、前記プラス電極が、携帯する使用者の身体やその衣服に接触し易い配置となっていることを特徴とする。
【手続補正３】
【補正対象書類名】明細書
【補正対象項目名】００１５
【補正方法】変更
【補正の内容】
【００１５】
本発明は、前記マイナスイオン発生回路がコロナ放電方式であるとともに、電池からの供給電圧を一定とする定電圧回路が組み込まれており、電源スイッチを入れたときに前記プラス電極と電池のプラス側とが電気接続されるとともに、前記筐体に内蔵されたＬＥＤが点灯することを特徴とする。例えば、本発明は、前記電池の電圧が基準値以上の場合は、前記筐体に内蔵されたＬＥＤが点灯し、前記電池の電圧が基準値を下回ると前記ＬＥＤが点滅し、前記電池の電圧が下限値を下回ると前記ＬＥＤが消灯する仕組みとなる。
【手続補正４】
【補正対象書類名】明細書
【補正対象項目名】００１６
【補正方法】変更
【補正の内容】
【００１６】
本発明によれば、前記マイナスイオン発生回路がコロナ放電方式であるとともに、電池からの供給電圧を一定とする定電圧回路が組み込まれていることで、安定して大量のマイナスイオンを放射することが容易となり、そして、電源スイッチを入れたときに前記プラス電極と電池のプラス側とが電気接続されることで、人体への影響を極力抑えた低電位でプラス帯電する構成となる。
【手続補正５】
【補正対象書類名】明細書
【補正対象項目名】００１８
【補正方法】変更
【補正の内容】
【００１８】
本発明は、前記プラス電極が、金網製の凸部が前記筐体内から外側に向けて突出して形成されており、かつ、前記プラス電極と前記電池のプラス側とが高抵抗を介して接続されている構成とされ、前記プラス電極の電位が、＋０．５〜＋３．５Ｖに設定されていることを特徴とする。
【手続補正６】
【補正対象書類名】明細書
【補正対象項目名】００２０
【補正方法】変更
【補正の内容】
【００２０】
本発明は、前記プラス電極が配されている前記筐体の側面側と反対側の側面側には、電源スイッチの操作レバーが配されており、この電源スイッチの操作レバーと前記プラス電極との間の位置に前記放射孔が形成されていることを特徴とする。
【手続補正７】
【補正対象書類名】明細書
【補正対象項目名】００２２
【補正方法】変更
【補正の内容】
【００２２】
本発明は、前記放射孔が前記筐体の上面側に形成されているとともに、電源スイッチの操作レバー並びに前記プラス電極が前記筐体の上方側に配されており、前記プラス電極と前記放射孔との間の位置には、首や手首に吊り下げて使用するストラップが取り付けられていることを特徴とする。